(57)【要約】      （修正有）【課題】カーテンの掛け高さの調整が可能なホックを提供する。【解決手段】ホック基材１１がとホック部材１２とからなり、該ホック基材には、縦方向摺動溝１１１と挿設棒１１５が設けられ、縦方向摺動溝の前方の両側凸縁に、係止歯１１４が配列される。ホック部材１２は、ホック基材の係止歯と縦方向摺動溝に対応する位置に、それぞれ、係止ブロック１２４と摺動ブロック１２５が設置され、摺動ブロックを利用して、ホック基材の摺動溝を摺動でき、係止ブロックが、ホック基材の係止歯に係止されることにより、ホック部材が、ホック基材に組立てられる。これにより、ホック１０によってカーテンが掛け棒に付けられ、ホック基材１１が、ホック部材１２で縦方向変位でき、また、係止して位置決めされるため、カーテンの懸吊高さを調整でき、大幅に、カーテンの使用美感性を向上させることができる。【選択図】図２
0003157031.tif 000002
【実用新案登録請求の範囲】
【請求項１】
内部に、縦方向に、摺動溝が形成され、該縦方向摺動溝の前方に、開口が形成され、開口両側の凸縁の対向面に、係止歯が形成され、裏面に、挿設棒が設置されるホック基材と、
下方へ向う開口が形成され、その一端が、ホック基材の係止歯と縦方向摺動溝に対応する位置に、それぞれ、係止ブロックと摺動ブロックが設けられ、摺動ブロックを利用して、ホック基材の縦方向摺動溝を摺動し、係止ブロックが、ホック基材の係止歯に係止されることにより、ホック基材に組立てられるホック部材と
が含有される
ことを特徴とする掛け高さの調整可能なホック。
【請求項２】
前記ホック基材が、長尺状であり、挿設棒の先端に、外方へ適当な角度に湾曲されたガイド部が設けられてなることを特徴とする請求項１に記載の掛け高さの調整可能なホック。
【請求項３】
前記ホック部材の一端において、前記ホック基材の前記開口に対応する位置に、ブロック体が設置され、該ブロック体の上面において、ホック基材の両側にある係止歯に対応する位置に、それぞれ、係止ブロックが設置され、前記ブロック体の裏面において、前記ホック基材の縦方向摺動溝に対応する位置に、摺動ブロックが設置されてなることを特徴とする請求項１に記載の掛け高さの調整可能なホック。
【請求項４】
前記ホック部材が、約Ｕ字形状であり、一端に、内方へ円弧に湾曲された当接部が設置されてなることを特徴とする請求項１に記載の掛け高さの調整可能なホック。
【考案の詳細な説明】
【技術分野】
【０００１】
本考案は、掛け高さの調整可能なホックに関し、特に、使用上の美感性に優れたホック構造に関する。
【背景技術】
【０００２】
既存のカーテンを懸吊する方式は、窓枠の上方に、掛け棒が固定され、掛け棒に、複数の横方向に移動可能な吊り耳が係止されたものである。
また、カーテンの上部に、掛け付け部が縫製される方式では、該掛け付け部は、直接に、カーテンの上縁を下方へ畳みあって縫製するか、またはカーテンの上部に布条を付けて縫製することにより構成されたものである。
【０００３】
また、カーテンの掛け付け部に、Ｓ型のホックを掛け付け、ホックのもう一端を掛け棒の吊り耳に掛けることにより、カーテンが、掛け棒に掛けられる。かかる状態でユーザーにより、カーテンが引かれ、また、ホックと吊り耳が、掛け棒において、横方向に移動することにより、カーテンが開閉されるが、かかる懸吊方式によれば、カーテンは、ホックと吊り耳を利用して、掛け棒に付けられるので、カーテンと掛け棒との間に、所定の間隔が発生し、この間隔により、カーテンの美感性が失われ、また、掛け棒が露出し、内装の視覚スタイルが低下するという問題がある。
【０００４】
かかる状況下において、カーテンを懸吊する際、容易に着脱可能であり、美的効果を有するカーテン懸吊部を設けたカーテン吊具が提案されている（実開平７−２４１８２号公報）が、かかる提案は、掛け高さの調節可能なホックに関するものではなく、掛け高さは固定のものであり、掛け棒の遮蔽については開示されるものがない。
【特許文献１】実開平７−２４１８２号公報
【考案の開示】
【考案が解決しようとする課題】
【０００５】
従って、本考案の課題は、前記の如き、カーテンと掛け棒との間に間隔が発生するという難点に鑑み、掛け高さの調整可能なホックを提供する点にある。
【課題を解決するための手段】
【０００６】
そこで、前記の本考案の課題を解決するため、鋭意検討を重ねたところ、カーテンを掛け棒に懸吊するための吊具としてのホックの構成部分として互いに摺動可能な部材を組み合せることによりカーテン上縁の位置を容易に変えられることに着目し、かかる知見に基づいて本考案を想到するに至った。
【０００７】
すなわち、本考案の主な目的は、ホック基材とホック部材が含有され、カーテンが付けられたホックが、掛け棒に掛けられ、ホック基材を利用して、ホック部材において、縦方向に移動して係止位置を決めることができるため、カーテンの取り付けの高さを調整することができるので、カーテンにより掛け棒が隠れて、カーテンの使用上の美感性が大幅に向上させることが可能な掛け高さの調整可能なホックを提供する点にある。
【０００８】
かくして、本考案によれば、請求項１において、
内部に、縦方向に、摺動溝が形成され、該縦方向摺動溝の前方に、開口が形成され、開口両側の凸縁の対向面に、係止歯が形成され、裏面に、挿設棒が設置されるホック基材と、
下方へ向う開口が形成され、その一端が、ホック基材の係止歯と縦方向摺動溝に対応する位置に、それぞれ、係止ブロックと摺動ブロックが設けられ、摺動ブロックを利用して、ホック基材の縦方向摺動溝を摺動し、係止ブロックが、ホック基材の係止歯に係止されることにより、ホック基材に組立てられるホック部材と
が含有される
ことを特徴とする掛け高さの調整可能なホック
が提供される。
【０００９】
請求項２の考案によれば、
前記ホック基材が、長尺状で、挿設棒の先端に、外方へ適当な角度に湾曲されたガイド部が設けられてなることを特徴とする請求項１に記載の掛け高さの調整可能なホック
が提供される。
【００１０】
請求項３の考案によれば、
前記ホック部材の一端において、前記ホック基材の開口に対応する位置に、ブロック体が設置され、該ブロック体の上面において、ホック基材の両側にある係止歯に対応する位置に、それぞれ、係止ブロックが設置され、また、ブロック体の裏面において、ホック基材の縦方向摺動溝に対応する位置に、摺動ブロックが設置されてなることを特徴とする請求項１に記載の掛け高さの調整可能なホック
が提供される。
【００１１】
請求項４の考案によれば、
前記ホック部材が、おおよそＵ字形状で、一端に、内へ円弧に湾曲された当接部が設置されることを特徴とする請求項１に記載の掛け高さの調整可能なホック
が提供される。
【考案の効果】
【００１２】
本考案に係るホックは、前記の通りホック基材とホック部材との組合せからなり、前記ホック部材の前記ホック基材に対する位置関係を任意に調節することにより、またはホック部材を引き下げることにより、掛け棒を遮蔽することができる。
【考案を実施するための最良の形態】
【００１３】
以下、図面を参照しながら、本考案に係る掛け高さ調整可能なホックの特徴や技術内容について、詳しく説明する。もっとも、それらの図面等は、参考及び説明のためであり、本考案は、それらによって限定されるものではない。
【００１４】
先ず、図１と図２を参照しながら、本考案に係る掛け高さ調整可能なホックについて説明する。
本考案に係るホック１０は、ホック基材１１とホック部材１２とから構成される。
【００１５】
ホック基材１１は、長尺状で、内部に、縦方向摺動溝１１１が形成されてある。該縦方向摺動溝１１１の前方に、開口１１２が形成され、開口１１２の両側の凸縁１１３の対向面に、一列の係止歯１１４が形成されてある。また、ホック基材１１の裏面に、直立状の挿設棒１１５が一体成型され、該挿設棒１１５の先端に、外方へ適当な角度に湾曲されたガイド部１１６が設けられてある。
【００１６】
ホック部材１２は、Ｕ形状で、その開口１２１が下方へ向い、一端に、内部へ円弧に湾曲された当接部１２２が設置され、もう一端に、ブロック体１２３が設置されてある。該ブロック体１２３の上面において、ホック基材１１の両列の係止歯１１４に対応する位置に、それぞれ、弾性伸縮変位が可能な係止ブロック１２４が設置されてある。
【００１７】
また、ブロック体１２３の裏面において、ホック基材１１の縦方向摺動溝１１１に対応する位置に、摺動ブロック１２５が設置されてある。ホック部材１２は、摺動ブロック１２５を利用して、ホック基材１１の縦方向摺動溝１１１内で、縦方向に移動可能であり、摺動ブロック１２５が、ホック基材１１の二つの凸縁１１３により制限されて、前方から脱離することが防止されてある。
【００１８】
ホック部材１２の二つの係止ブロック１２４が、ホック基材１１の係止歯１１４により係止され、ホック部材１２の位置が調節される。ホック部材１２が、ホック基材１１に挿入されるだけで、本考案のホック１０の構造が完成される。
【００１９】
図３に示すように、本考案に係るホック１０は、ホック基材１１とホック部材１２の相対位置を調整する場合、ホック部材１２が、摺動ブロック１２５を利用して、ホック基材１１の縦方向摺動溝１１１内を、下方へ縦方向に移動することができる。
【００２０】
また、ホック部材１２を所定の位置に調整した後、二つの係止ブロック１２４が、ホック基材１１のその一つの係止歯１１４に係止することにより、ホック部材１２が、ホック基材１１内を移動し、ホック部材１２が下方へ移動すると、図３中、点線で示すように、ホック基材１１の位置が、相対的に上になる。これにより、ホック基材１１の高低位置を調整することができる。
【００２１】
また、ホック基材１１が、縦方向摺動溝１１１を利用して、ホック部材１２の摺動ブロック１２５に沿って、上方へ縦方向に移動でき、また、所定の位置に調整した後、係止歯１１４が、ホック部材１２の係止ブロック１２４に係止されることにより、ホック基材１１が下方へ滑ることなく、ホック基材１１の高低位置が調整される。
【００２２】
図４乃至図６によれば、本考案に係るホック１０は、ホック基材１１の挿設棒１１５により、カーテン２０の掛け付け部２０１に挿設され、カーテン２０の裏面に配置されるように、ホック基材１１に、カーテン２０が取り付けられる。その結果、ホック１０は、ホック部材１２により、掛け棒３０の吊り耳３１に掛けられ、カーテン２０が掛け棒３０に懸吊されるので、遮光や区間区画に利用することができる。
【００２３】
図３と図６及び図７に示すように、本考案に係るホック１０により、カーテン２０の懸吊高さを調整する場合、カーテン２０と掛け棒３０との間に、間隔が形成されるとき、カーテン２０により掛け棒３０が隠れるように、該ホック１０は、ホック基材１１を利用して、ホック部材１２に沿って上方へ縦方向に移動させればよい。    
【００２４】
また、挿設棒１１５により、カーテン２０も上方へ移動でき、これにより、カーテン２０の懸吊高さが調整され、カーテン２０により、掛け棒３０が隠れ、有効にカーテン２０の装飾美感性を発揮させることができる。
【００２５】
以上の説明から、本考案は、より進歩的かつより実用的であることは明らかであるから、法に従って実用新案登録を求める。
以上は、本考案のより良い実施例であり、本考案は、それらによって限定されるものではない。また、本考案に係わる登録請求の範囲や明細書の内容に基づいて行った等価の変更や修正は、全てが、本考案の範囲内に含まれることは明らかである。
【図面の簡単な説明】
【００２６】
【図１】本考案の一実施形態によるホックの斜視図である。
【図２】本考案の一実施形態によるホックの分解斜視図である。
【図３】本考案の一実施形態によるホックの作動概念図である。
【図４】本考案の一実施形態によるホックによりカーテンを懸吊する場合の作動概念図である。
【図５】本考案の一実施形態によるホックの使用状態を示す概念図である。
【図６】本考案の一実施形態によるホックの高さを調整する場合の使用概念図である。
【図７】本考案の一実施形態によるホックにより掛け棒が隠れる状態を示す側面図である。
【符号の説明】
【００２７】
１０    ホック
１１    ホック基材
１１１  縦方向摺動溝
１１２  開口
１１３  凸縁
１１４  係止歯
１１５  挿設棒
１１６  ガイド部
１２    ホック部材
１２１  開口
１２２  当接部
１２３  ブロック体
１２４  係止ブロック
１２５  摺動ブロック
２０    カーテン
２０１  掛け付け部
３０    掛け棒
３１    吊り耳
【図１】
0003157031.tif 000003
【図２】
0003157031.tif 000004
【図３】
0003157031.tif 000005
【図４】
0003157031.tif 000006
【図５】
0003157031.tif 000007
【図６】
0003157031.tif 000008
【図７】
0003157031.tif 000009